(57)【要約】      （修正有）【課題】異なる電源タップに接続された機器間においても電源のオン／オフを連動させることが可能な給電管理システムを提供する。【解決手段】マスタータップＭＴ１，ＭＴ２は、マスターコンセントＭＣ１，ＭＣ２に接続された機器の消費電力量を測定可能なマスター電力量測定手段と、測定された消費電力量が予め定めた閾値を超えたか否かを判定可能なマスター電力量判定手段と、判定手段による電力判定結果を拡張タップＥＴ１，ＥＴ２に向けて送信可能な送信手段を備える。拡張タップＥＴ１，ＥＴ２は、送信手段によって送信された電力判定結果を少なくとも受信可能な受信手段と、受信した電力判定結果に応じて兼用コンセントＳＣ１，ＳＣ２から供給する電力制御を行う拡張タップ電力制御手段と、兼用コンセントＳＣ１，ＳＣ２をスレーブコンセントおよびノーマルコンセントのいずれか一方に切り替え可能な切替手段を備え給電管理する。【選択図】図１
2014023293.tif 000002
【特許請求の範囲】
【請求項１】
マスターコンセントを有するマスタータップと、
スレーブコンセントおよびノーマルコンセントのいずれか一方として機能する兼用コンセントを有する拡張タップと、を備え、
前記マスタータップと前記拡張タップは、相互に通信可能に構成され、
前記マスタータップは、
前記マスターコンセントに接続された機器の消費電力量を測定可能なマスター電力量測定手段と、
前記マスター電力量測定手段によって測定された消費電力量が予め定めた閾値を超えたか否かを判定可能なマスター電力量判定手段と、
前記マスター電力量判定手段による電力判定結果を前記拡張タップに向けて送信可能な送信手段と、を備え、
前記拡張タップは、
前記送信手段によって送信された電力判定結果を少なくとも受信可能な受信手段と、
前記受信手段が受信した電力判定結果に応じて前記兼用コンセントから供給する電力制御を行う拡張タップ電力制御手段と、
前記兼用コンセントを前記スレーブコンセントおよび前記ノーマルコンセントのいずれか一方に切り替え可能な切替手段と、を備え、
前記拡張タップ電力制御手段は、
前記兼用コンセントが前記スレーブコンセントに切り替えられ、かつ前記電力判定結果が前記閾値を超えていることを示している場合には、前記スレーブコンセントからの電力供給を許可する一方で、前記兼用コンセントが前記スレーブコンセントに切り替えられ、かつ前記電力判定結果が前記閾値を超えていないことを示している場合には、前記スレーブコンセントからの電力供給を禁止するように構成されるとともに、
前記兼用コンセントが前記ノーマルコンセントに切り替えられている場合には、前記電力判定結果に関わらず前記ノーマルコンセントからの電力供給を許可するように構成されている、
ことを特徴とする給電管理システム。
【請求項２】
請求項１に記載の給電管理システムであって、
前記マスタータップは、
前記兼用コンセントと、
前記電力判定結果に応じて前記兼用コンセントから供給する電力制御を行うマスタータップ電力制御手段と、
前記切替手段と、を備え、
前記マスタータップ電力制御手段は、
前記マスタータップの兼用コンセントが前記スレーブコンセントに切り替えられ、かつ前記電力判定結果が前記閾値を超えていることを示している場合には、前記マスタータップの兼用コンセントからの電力供給を許可する一方で、前記マスタータップの兼用コンセントが前記スレーブコンセントに切り替えられ、かつ前記電力判定結果が前記閾値を超えていないことを示している場合には、前記マスタータップのスレーブコンセントからの電力供給を禁止するように構成されるとともに、
前記マスタータップの兼用コンセントが前記ノーマルコンセントに切り替えられている場合には、前記電力判定結果に関わらず前記マスタータップの兼用コンセントからの電力供給を許可するように構成されている、
ことを特徴とする給電管理システム。
【請求項３】
請求項１または２に記載の給電管理システムであって、
前記マスタータップまたは前記拡張タップは、
前記スレーブコンセントから供給する電力の消費電力量を計測可能なスレーブ電力量計測手段を備え、
前記マスター電力量計測手段および前記スレーブ電力量計測手段によって計測した消費電力量に基づいて電気料金を算出可能に構成されている、
ことを特徴とする給電管理システム。
【請求項４】
請求項２または３に記載の給電管理システムであって、
前記切替手段は、
前記兼用コンセントをさらにオフ状態に切り替え可能に構成され、
前記マスタータップ電力制御手段または前記拡張タップ電力制御手段は、
前記兼用コンセントが前記オフ状態に切り替えられている場合には、前記電力判定結果に関わらず前記兼用コンセントからの電力供給を禁止するように構成されている、
ことを特徴とする給電管理システム。
【請求項５】
請求項１〜４のいずれかに記載の給電管理システムであって、
前記マスタータップは、
第一のマスタータップと第二のマスタータップを少なくとも含み、
前記拡張タップは、
第一の拡張タップと第二の拡張タップを少なくとも含み、
前記第一の拡張タップの拡張タップ電力制御手段は、
前記第一の拡張タップの兼用コンセントが前記スレーブコンセントに切り替えられ、かつ前記第一のマスタータップから受信した前記電力判定結果が前記閾値を超えていることを示している場合には、前記第一の拡張タップのスレーブコンセントからの電力供給を許可する一方で、前記第一の拡張タップの兼用コンセントが前記スレーブコンセントに切り替えられ、かつ前記第一のマスタータップから受信した前記電力判定結果が前記閾値を超えていないことを示している場合には、前記第一の拡張タップのスレーブコンセントからの電力供給を禁止するように構成され、
前記第二の拡張タップの拡張タップ電力制御手段は、
前記第二の拡張タップの兼用コンセントが前記スレーブコンセントに切り替えられ、かつ前記第二のマスタータップから受信した前記電力判定結果が前記閾値を超えていることを示している場合には、前記第二の拡張タップのスレーブコンセントからの電力供給を許可する一方で、前記第二の拡張タップの兼用コンセントが前記スレーブコンセントに切り替えられ、かつ前記第二のマスタータップから受信した前記電力判定結果が前記閾値を超えていないことを示している場合には、前記第二の拡張タップのスレーブコンセントからの電力供給を禁止するように構成されている、
ことを特徴とする給電管理システム。
【請求項６】
請求項５に記載の給電管理システムであって、
前記第一のマスタータップまたは前記第一の拡張タップは、
前記マスター電力量計測手段および前記スレーブ電力量計測手段によって計測した消費電力量に基づいて、前記第一のマスタータップまたは前記第一の拡張タップの電気料金を算出可能に構成され、
前記第二のマスタータップまたは前記第二の拡張タップは、
前記マスター電力量計測手段および前記スレーブ電力量計測手段によって計測した消費電力量に基づいて、前記第二のマスタータップまたは前記第二の拡張タップの電気料金を算出可能に構成されている、
ことを特徴とする給電管理システム。
【発明の詳細な説明】
【技術分野】
【０００１】
本発明は、コンセントに接続された複数の機器の電源のオン／オフを連動させることが可能な給電管理システムに関する。
【背景技術】
【０００２】
従来、メインコンセントに接続される機器への電流値を検出する電流検出回路を備え、電流値が閾値よりも低くなった場合に、連動コンセントの機器への電源供給を停止するように構成したテーブルタップが提案されている（例えば、特許文献１参照）。
【先行技術文献】
【特許文献】
【０００３】
【特許文献１】特開２００６−１７２７２３号公報
【発明の概要】
【発明が解決しようとする課題】
【０００４】
しかしながら、上記特許文献１に記載のテーブルタップでは、同一のテーブルタップに接続された機器間においては電源のオン／オフを連動させることが可能であるものの、異なるテーブルタップに接続された機器間においては電源のオン／オフを連動させることができず、利便性が低いといった問題点があった。
【０００５】
本発明は、このような従来の問題点を解決しようとするものであって、異なる電源タップに接続された機器間においても電源のオン／オフを連動させることが可能な給電管理システムを提供することを目的とする。
【課題を解決するための手段】
【０００６】
本発明は、マスターコンセントを有するマスタータップと、スレーブコンセントおよびノーマルコンセントのいずれか一方として機能する兼用コンセントを有する拡張タップと、を備え、前記マスタータップと前記拡張タップは、相互に通信可能に構成され、前記マスタータップは、前記マスターコンセントに接続された機器の消費電力量を測定可能なマスター電力量測定手段と、前記マスター電力量測定手段によって測定された消費電力量が予め定めた閾値を超えたか否かを判定可能なマスター電力量判定手段と、前記マスター電力量判定手段による電力判定結果を前記拡張タップに向けて送信可能な送信手段と、を備え、前記拡張タップは、前記送信手段によって送信された電力判定結果を少なくとも受信可能な受信手段と、前記受信手段が受信した電力判定結果に応じて前記兼用コンセントから供給する電力制御を行う拡張タップ電力制御手段と、前記兼用コンセントを前記スレーブコンセントおよび前記ノーマルコンセントのいずれか一方に切り替え可能な切替手段と、を備え、前記拡張タップ電力制御手段は、前記兼用コンセントが前記スレーブコンセントに切り替えられ、かつ前記電力判定結果が前記閾値を超えていることを示している場合には、前記スレーブコンセントからの電力供給を許可する一方で、前記兼用コンセントが前記スレーブコンセントに切り替えられ、かつ前記電力判定結果が前記閾値を超えていないことを示している場合には、前記スレーブコンセントからの電力供給を禁止するように構成されるとともに、前記兼用コンセントが前記ノーマルコンセントに切り替えられている場合には、前記電力判定結果に関わらず前記ノーマルコンセントからの電力供給を許可するように構成されている、ことを特徴とする給電管理システムである。
【発明の効果】
【０００７】
本発明に係る給電管理システムは、異なる電源タップに接続された機器間においても電源のオン／オフを連動させることができる。
【図面の簡単な説明】
【０００８】
【図１】本実施形態に係る給電管理システム１０の構成例を示した図である。
【図２】マスタータップと拡張タップのの内部構成を示すブロック図である。
【図３】本実施形態に係る第１タップシステムＴＳ１に各種機器を接続した例を示した図である。
【図４】本実施形態に係る第２タップシステムＴＳ２に各種機器を接続した例を示した図である。
【発明を実施するための形態】
【０００９】
以下、図面を用いて、本発明の実施形態に係る給電管理システム１０について詳細に説明する。
【００１０】
＜全体構成＞
図１は、本実施形態に係る給電管理システム１０の構成例を示した図である。給電管理システム１０は、第１タップシステムＴＳ１と第２タップシステムＴＳ２の２つのタップシステムで構成されている。なお、本実施形態では、給電管理システム１０を２つのタップシステムＴＳ１、ＴＳ２で構成しているが、本発明はこれに限定されるものではなく、１つのタップシステム（例えば、ＴＳ１とＴＳ２のいずれか一方）で構成してもよいし、３つ以上のタップシステムで構成してもよい。
【００１１】
＜第１タップシステムＴＳ１＞
第１タップシステムＴＳ１は、相互に通信可能な第１マスタータップＭＴ１と第１拡張タップＥＴ１で構成されている。第１マスタータップＭＴ１は、一つのマスターコンセントＭＣ１と、複数個（本実施形態では、３個）の兼用コンセントＳＣ１を備え、第１拡張タップＥＴ１は、複数個（本実施形態では、４個）の兼用コンセントＳＣ１を備えている。また、第１マスタータップＭＴ１と第１拡張タップＥＴ１は第一の色（例えば、青色）で色付けされており、両方が同一のタップシステム（第１タップシステムＴＳ１）に属していることが一目で視認可能とされている。
【００１２】
なお、本実施形態では、第１マスタータップＭＴ１と第１拡張タップＥＴ１を延長コードタイプの電源タップで構成しているが、本発明はこれに限定されるものではなく、例えば、いずれか一方または両方をコンセントタイプの電源タップ（コンセントタップ）で構成してもよい。また、第１マスタータップＭＴ１は、少なくとも一つのマスターコンセントＭＣ１を備えていればよく、兼用コンセントＳＣ１を備えていなくてもよい。
【００１３】
また、第１マスタータップＭＴ１と第１拡張タップＥＴ１を同一色で色付けする例を示したが、両方が同一のタップシステムに属していることが視認可能であればよく、例えば、両者に同一の特徴的な模様を施したり、両者を同一の特徴的な形状に加工したりしてもよい（次に説明する第２タップシステムＴＳ２も同様である）。
【００１４】
＜第２タップシステムＴＳ２＞
第２タップシステムＴＳ２は、相互に通信可能な第２マスタータップＭＴ２と第２拡張タップＥＴ２で構成されている。第２マスタータップＭＴ２は、一つのマスターコンセントＭＣ２と、複数個（本実施形態では、３個）の兼用コンセントＳＣ２を備え、第２拡張タップＥＴ２は、一つの兼用コンセントＳＣ２を備えている。また、第２マスタータップＭＴ２と第２拡張タップＥＴ２は上述の第一の色とは異なる第二の色（例えば、赤色）で色付けされており、両方が同一のタップシステム（第２タップシステムＴＳ２）に属していることが一目で視認可能とされている。
【００１５】
なお、本実施形態では、第２拡張タップＥＴ２をコンセントタイプの電源タップで構成しているが、本発明はこれに限定されるものではなく、例えば、延長コードタイプの電源タップで構成してもよい。また、第２マスタータップＭＴ２をコンセントタイプの電源タップで構成してもよい。また、第２マスタータップＭＴ２は、少なくとも一つのマスターコンセントＭＣ２を備えていればよく、兼用コンセントＳＣ２を備えていなくてもよい。
【００１６】
＜マスタータップＭＴ＞
図２は、マスタータップと拡張タップの内部構成を示すブロック図である。なお、第１マスタータップＭＴ１と第２マスタータップＭＴ２の内部構成は同一であるため、以下、これらをマスタータップＭＴ（ＭＴ１、ＭＴ２）と総称して説明することとする。
【００１７】
マスタータップＭＴ（ＭＴ１、ＭＴ２）は、ＲＡＭやＲＯＭなどによって構成される記憶手段１８と、マスターコンセントＭＣ（ＭＣ１、ＭＣ２）に接続された機器の消費電力量を測定可能なマスター電力量測定手段２０と、このマスター電力量測定手段２０によって測定された消費電力量が予め定めた閾値を超えたか否かを判定可能なマスター電力量判定手段２２と、このマスター電力量判定手段２２による電力判定結果を拡張タップＥＴ（ＥＴ１、ＥＴ２）に向けて送信可能な送信手段２４と、兼用コンセントＳＣ（ＳＣ１、ＳＣ２）に接続された機器の消費電力量を測定可能なスレーブ電力量測定手段３０と、兼用コンセントＳＣをスレーブコンセント、ノーマルコンセント、オフ状態のいずれかに切り替え可能な切替手段３２と、マスター電力量判定手段２２による電力判定結果に応じて兼用コンセントＳＣから供給する電力制御を行うマスタータップ電力制御手段３４と、を備える。
【００１８】
＜マスター電力量測定手段２０＞
マスター電力量測定手段２０は、マスターコンセントＭＣ（ＭＣ１、ＭＣ２）に接続された機器（例えば、ＣＡＴＶ  Ｔｕｎｅｒ）の消費電力量を測定するための手段である。このマスター電力量測定手段２０は、例えば、マスターコンセントＭＣに電気的に接続された電流センサや電圧センサなどのハードウェアと、電流センサや電圧センサによって測定した電流や電圧に基づいて、マスターコンセントＭＣに接続された機器の消費電力量（例えば、電流×電圧×時間）を算出する制御プログラムなどによって構成される。なお、複数個のマスターコンセントＭＣを有する場合には、各々のマスターコンセントＭＣ毎に個別に消費電力量を測定することが可能である。
【００１９】
＜マスター電力量判定手段２２＞
マスター電力量判定手段２２は、マスター電力量測定手段２０によって測定された消費電力量が予め定めた閾値を超えたか否かを判定するための手段である。マスター電力量判定手段２２は、例えば、制御プログラムによって構成され、このマスター電力量判定手段２２に相当する制御プログラムでは、例えば、マスター電力量測定手段２０によって測定された消費電力量が予め定めた閾値（例えば、１０ｗ）を超えた場合に、閾値を超えたことを示す情報（例えば、数値の１）を電力判定結果として記憶手段１８に記憶する一方で、マスター電力量測定手段２０によって測定された消費電力量が予め定めた閾値以下になった場合に、閾値以下になったことを示す情報（例えば、数値の０）を電力判定結果として記憶手段１８に記憶する処理などを行う。
【００２０】
＜送信手段２４＞
送信手段２４は、マスター電力量判定手段２２による電力判定結果を拡張タップＥＴに向けて送信するための手段である。この送信手段２４は、例えば、無線通信モジュールなどのハードウェアや、無線通信の制御を行う制御プログラムによって構成される。この送信手段２４に相当する制御プログラムでは、例えば、記憶手段１８に記憶された電力判定結果（消費電力量が閾値を超えたことを示す情報、または消費電力量が閾値以下になったことを示す情報）を拡張タップＥＴに向けて送信する処理などを行う。なお、送信手段２４は送信専用の手段に限定されるものではなく、例えば、拡張タップＥＴからの情報や、他の装置からの情報を受信可能に構成してもよい。
【００２１】
＜スレーブ電力量測定手段３０＞
スレーブ電力量測定手段３０は、兼用コンセントＳＣ（ＳＣ１、ＳＣ２）に接続された機器（例えば、ＴＶ、ＤＶＤ  Ｐｌａｙｅｒ）の消費電力量を測定するための手段である。このスレーブ電力量測定手段３０は、例えば、兼用コンセントＳＣに電気的に接続された電流センサや電圧センサなどのハードウェアと、電流センサや電圧センサによって測定した電流や電圧に基づいて、兼用コンセントＳＣに接続された機器の消費電力量（例えば、電流×電圧×時間）を算出する制御プログラムなどによって構成される。なお、複数個の兼用コンセントＳＣを有する場合には、各々の兼用コンセントＳＣ毎に個別に消費電力量を測定することが可能である。
【００２２】
＜切替手段３２＞
切替手段３２は、兼用コンセントＳＣをスレーブコンセント、ノーマルコンセント、オフ状態のいずれかに切り替えるための手段である。この切替手段３２は、例えば、スイッチなどのハードウェアや、スイッチの状態（スレーブコンセント、ノーマルコンセント、オフ状態）を記憶手段１８に記憶する制御プログラムなどによって構成される。詳細は後述するが、兼用コンセントＳＣがスレーブコンセントに切り替えられている場合には、マスターコンセントＭＣの消費電力量に連動した電力制御が行われ、兼用コンセントＳＣがノーマルコンセントに切り替えられている場合には、マスターコンセントＭＣの消費電力量とは無関係に電力を常に供給するための電力制御が行われ、兼用コンセントＳＣがオフ状態に切り替えられている場合には、マスターコンセントＭＣの消費電力量とは無関係に電力を常に遮断するための電力制御が行われる。
【００２３】
＜マスタータップ電力制御手段３４＞
マスタータップ電力制御手段３４は、記憶手段１８に記憶された電力判定結果に応じて兼用コンセントＳＣから供給する電力制御を行う手段である。このマスタータップ電力制御手段３４は、制御プログラムによって構成され、この制御プログラムでは、例えば、兼用コンセントＳＣがスレーブコンセントに切り替えられ（記憶手段１８に記憶された兼用コンセントＳＣのスイッチの状態がスレーブコンセントであることを示しており）、かつ電力判定結果が閾値を超えていることを示している場合には、兼用コンセントＳＣからの電力供給を許可することによって、兼用コンセントＳＣに接続された機器に電力を供給する処理などを行う。
【００２４】
一方、兼用コンセントＳＣがスレーブコンセントに切り替えられ（記憶手段１８に記憶された兼用コンセントＳＣのスイッチの状態がスレーブコンセントであることを示しており）、かつ電力判定結果が閾値を超えていないことを示している場合には、兼用コンセントＳＣからの電力供給を禁止することによって、兼用コンセントＳＣに接続された機器への電力を遮断する処理などを行う。
【００２５】
また、マスタータップ電力制御手段３４は、兼用コンセントＳＣがノーマルコンセントに切り替えられている場合（記憶手段１８に記憶された兼用コンセントＳＣのスイッチの状態がノーマルコンセントであることを示している場合）には、電力判定結果に関わらず兼用コンセントＳＣからの電力供給を許可することによって、兼用コンセントＳＣに接続された機器に電力を供給する処理などを行う。
【００２６】
さらに、マスタータップ電力制御手段３４は、兼用コンセントＳＣがオフ状態に切り替えられている場合（記憶手段１８に記憶された兼用コンセントＳＣのスイッチの状態がオフ状態であることを示している場合）には、電力判定結果に関わらず兼用コンセントＳＣからの電力供給を禁止することによって、兼用コンセントＳＣに接続された機器への電力を遮断する処理などを行う。
【００２７】
＜拡張タップＥＴ＞
次に、図２を用いて、第１拡張タップＥＴ１、第２拡張タップＥＴ２について詳細に説明する。なお、第１拡張タップＥＴ１と第２拡張タップＥＴ２の内部構成は略同一であるため、以下、これらを拡張タップＥＴ（ＥＴ１、ＥＴ２）と総称して説明することとする。
【００２８】
拡張タップＥＴ（ＥＴ１、ＥＴ２）は、マスタータップＭＴの送信手段２４によって送信された電力判定結果を受信可能な受信手段４０と、上述のスレーブ電力量測定手段３０と、上述の切替手段３２と、受信手段４０が受信した電力判定結果に応じて兼用コンセントＳＣから供給する電力制御を行う拡張タップ電力制御手段４４と、を備える。
【００２９】
＜受信手段４０＞
受信手段４０は、マスタータップＭＴの送信手段２４によって送信された電力判定結果を受信するための手段である。この受信手段４０は、例えば、無線通信モジュールなどのハードウェアや、無線通信の制御を行う制御プログラムによって構成される。この受信手段４０に相当する制御プログラムでは、例えば、マスタータップＭＴの送信手段２４から送信された電力判定結果（消費電力量が閾値を超えたことを示す情報、または消費電力量が閾値以下になったことを示す情報）を受信する処理などを行う。なお、受信手段４０は受信専用の手段に限定されるものではなく、例えば、拡張タップＥＴや外部の装置に向けて情報を送信可能に構成してもよい。
【００３０】
＜拡張タップ電力制御手段４４＞
拡張タップ電力制御手段４４は、受信手段４０が受信した電力判定結果に応じて兼用コンセントＳＣから供給する電力制御を行う手段である。この拡張タップ電力制御手段４４は、制御プログラムによって構成され、この制御プログラムでは、例えば、兼用コンセントＳＣがスレーブコンセントに切り替えられ（記憶手段１８に記憶された兼用コンセントＳＣのスイッチの状態がスレーブコンセントであることを示しており）、かつ電力判定結果が閾値を超えていることを示している場合には、兼用コンセントＳＣからの電力供給を許可することによって、兼用コンセントＳＣに接続された機器に電力を供給する処理などを行う。
【００３１】
一方、兼用コンセントＳＣがスレーブコンセントに切り替えられ（記憶手段１８に記憶された兼用コンセントＳＣのスイッチの状態がスレーブコンセントであることを示しており）、かつ電力判定結果が閾値を超えていないことを示している場合には、兼用コンセントＳＣからの電力供給を禁止することによって、兼用コンセントＳＣに接続された機器への電力を遮断する処理などを行う。
【００３２】
また、拡張タップ電力制御手段４４は、兼用コンセントＳＣがノーマルコンセントに切り替えられている場合（記憶手段１８に記憶された兼用コンセントＳＣのスイッチの状態がノーマルコンセントであることを示している場合）には、電力判定結果に関わらず兼用コンセントＳＣからの電力供給を許可することによって、兼用コンセントＳＣに接続された機器に電力を供給する処理などを行う。
【００３３】
さらに、拡張タップ電力制御手段４４は、兼用コンセントＳＣがオフ状態に切り替えられている場合（記憶手段１８に記憶された兼用コンセントＳＣのスイッチの状態がオフ状態であることを示している場合）には、電力判定結果に関わらず兼用コンセントＳＣからの電力供給を禁止することによって、兼用コンセントＳＣに接続された機器への電力を遮断する処理などを行う。
【００３４】
＜給電管理の具体例＞
次に、図３と図４を用いて、給電管理の具体例について説明する。なお、図３は、本実施形態に係る第１タップシステムＴＳ１に各種機器を接続した例を示した図であり、図４は、本実施形態に係る第２タップシステムＴＳ２に各種機器を接続した例を示した図である。
【００３５】
＜第１タップシステムＴＳ１＞
図３に示すように、この例では、第１マスタータップＭＴ１においては、マスターコンセントＭＣ１に、ＣＡＴＶ  Ｔｕｎｅｒの電源ケーブルを接続し、スレーブコンセントに切り替えられた兼用コンセントＳＣ１１に、ＴＶの電源ケーブルを接続し、ノーマルコンセントに切り替えられた兼用コンセントＳＣ１２に、ＤＶＤ  Ｐｌａｙｅｒの電源ケーブルを接続している。また、第１拡張タップＥＴ１においては、スレーブコンセントに切り替えられた兼用コンセントＳＣ１３に、ＴＶ  Ｇａｍｅ２の電源ケーブルを接続し、スレーブコンセントに切り替えられた兼用コンセントＳＣ１４に、ＴＶ  Ｇａｍｅ１の電源ケーブルを接続している。なお、他の兼用コンセントは未使用としている。
【００３６】
この例では、第１マスタータップＭＴ１のマスター電力量測定手段２０が、マスターコンセントＭＣ１に接続されたＣＡＴＶ  Ｔｕｎｅｒの消費電力量を測定するとともに、マスター電力量判定手段２２が、マスター電力量測定手段２０によって測定された消費電力量が予め定めた閾値を超えたか否かを判定する。ここで、ＣＡＴＶ  Ｔｕｎｅｒの消費電力量は、電源オフの場合に５Ｗ（待機電力）、電源オンの場合に５０Ｗであり、マスター電力量判定手段２２の判断基準である消費電力量の閾値が１０Ｗに設定されている場合を考える。
【００３７】
＜ＣＡＴＶ  Ｔｕｎｅｒの電源オン＞
ＣＡＴＶ  Ｔｕｎｅｒの電源がオフからオンに切り替えられると、ＣＡＴＶ  Ｔｕｎｅｒの消費電力量が５Ｗから５０Ｗに変化するため、マスター電力量判定手段２２は、マスター電力量測定手段２０によって測定されたＣＡＴＶ  Ｔｕｎｅｒの消費電力量が予め定めた閾値（この例では、１０ｗ）を超えたと判定し、閾値を超えたことを示す情報（例えば、数値の１）を電力判定結果として記憶手段１８に記憶する処理を行う。また、送信手段２４は、記憶手段１８に記憶された電力判定結果（この例では、消費電力量が閾値を超えたことを示す情報）を第１拡張タップＥＴ１に向けて送信する処理を行う。
【００３８】
次に、マスタータップ電力制御手段３４は、記憶手段１８に記憶された電力判定結果に応じて兼用コンセントＳＣから供給する電力制御を行うが、兼用コンセントＳＣ１１については、スレーブコンセントに切り替えられ、かつ電力判定結果が閾値を超えていることを示しているため、兼用コンセントＳＣ１１からの電力供給を許可することによって、兼用コンセントＳＣ１１に接続されたＴＶに電力を供給する処理を行う。これにより、ＣＡＴＶ  Ｔｕｎｅｒの電源オンに連動して、兼用コンセントＳＣ１１に接続されたＴＶに電力が供給され、ＴＶ本体の電源スイッチがオン状態であればＴＶの電源が自動的にオンになる。
【００３９】
一方、兼用コンセントＳＣ１２については、兼用コンセントＳＣがノーマルコンセントに切り替えられているため、電力判定結果に関わらず兼用コンセントＳＣ１２からの電力供給を許可することによって、兼用コンセントＳＣ１２に接続されたＤＶＤ  Ｐｌａｙｅｒに電力を供給する処理を行う。これにより、ＣＡＴＶ  Ｔｕｎｅｒの電源オンとは無関係に、兼用コンセントＳＣ１２に接続されたＤＶＤ  Ｐｌａｙｅｒには常に電源が供給される。すなわち、ＤＶＤ  Ｐｌａｙｅｒ本体の電源スイッチがオン状態であれば電源オンの状態が維持され、電源スイッチがオフ状態であれば電源オフの状態が維持される。
【００４０】
次に、第１拡張タップＥＴ１の受信手段４０は、第１マスタータップＭＴ１の送信手段２４から送信された電力判定結果（この例では、消費電力量が閾値を超えたことを示す情報）を受信する処理を行う。また、拡張タップ電力制御手段４４は、受信手段４０が受信した電力判定結果に応じて兼用コンセントＳＣから供給する電力制御を行うが、兼用コンセントＳＣ１３、ＳＣ１４については、スレーブコンセントに切り替えられ、かつ電力判定結果が閾値を超えていることを示しているため、兼用コンセントＳＣ１３、ＳＣ１４からの電力供給を許可することによって、兼用コンセントＳＣ１３に接続されたＴＶ  Ｇａｍｅ２と、兼用コンセントＳＣ１４に接続されたＴＶ  Ｇａｍｅ１に電力を供給する処理を行う。これにより、ＣＡＴＶ  Ｔｕｎｅｒの電源オンに連動して、兼用コンセントＳＣ１３に接続されたＴＶ  Ｇａｍｅ２と、兼用コンセントＳＣ１４に接続されたＴＶ  Ｇａｍｅ１に電力が供給され、各々の機器の電源スイッチがオン状態であれば各々の機器の電源が自動的にオンになる。
【００４１】
次に、第１マスタータップＭＴ１のスレーブ電力量測定手段３０は、兼用コンセント（スレーブコンセント）ＳＣ１１に接続されたＴＶの消費電力量を算出する。また、送信手段２４は、マスター電力量測定手段２０によって測定されたＣＡＴＶ  Ｔｕｎｅｒの消費電力量と、スレーブ電力量測定手段３０によって測定されたＴＶの消費電力量を含む情報を第１拡張タップＥＴ１に向けて送信する処理を行う。
【００４２】
一方、第１拡張タップＥＴ１のスレーブ電力量測定手段３０は、兼用コンセント（スレーブコンセント）ＳＣ１３に接続されたＴＶ  Ｇａｍｅ２の消費電力量と、兼用コンセント（スレーブコンセント）ＳＣ１４に接続されたＴＶ  Ｇａｍｅ１の消費電力量を算出する。また、第１拡張タップＥＴ１は、第１マスタータップＭＴ１から取得したＣＡＴＶ  Ｔｕｎｅｒの消費電力量とＴＶの消費電力量、および、スレーブ電力量測定手段３０によって算出したＴＶ  Ｇａｍｅ２の消費電力量とＴＶ  Ｇａｍｅ１の消費電力量を合算し、合計消費電力量と電気料金を算出する。なお、電気料金は、算出した合計消費電力量に、消費電力量当りの電気料金（例えば、１Ｗ／ｈ当り２．１円）を乗ずることで算出することができる。
【００４３】
なお、この例では、第１拡張タップＥＴ１が、第１マスタータップＭＴ１から消費電力量の情報を取得し、合計消費電力量と電気料金を算出する例を示したが、第１マスタータップＭＴ１が、第１拡張タップＥＴ１から消費電力量の情報を取得し、合計消費電力量と電気料金を算出してもよいし、外部の装置が無線通信を介して第１マスタータップＭＴ１や第１拡張タップＥＴ１から消費電力量の情報を取得し、合計消費電力量と電気料金を算出してもよい（第２タップシステムＴＳ２についても同様である）。
【００４４】
また、算出した合計消費電力量や電気料金を表示可能な表示手段（例えば、ＬＥＤや液晶表示装置）を備えてもよいし、算出した合計消費電力量や電気料金を無線通信によって外部に送信し、外部のＰＣなどで表示させてもよい。
【００４５】
＜ＣＡＴＶ  Ｔｕｎｅｒの電源オフ＞
ＣＡＴＶ  Ｔｕｎｅｒの電源がオンからオフに切り替えられると、ＣＡＴＶ  Ｔｕｎｅｒの消費電力量が５０Ｗから５Ｗに変化するため、マスター電力量判定手段２２は、マスター電力量測定手段２０によって測定されたＣＡＴＶ  Ｔｕｎｅｒの消費電力量が予め定めた閾値（この例では、１０ｗ）以下になったと判定し、閾値以下になったことを示す情報（例えば、数値の０）を電力判定結果として記憶手段１８に記憶する処理を行う。また、送信手段２４は、記憶手段１８に記憶された電力判定結果（この例では、消費電力量が閾値以下になったことを示す情報）を第１拡張タップＥＴ１に向けて送信する処理を行う。
【００４６】
次に、マスタータップ電力制御手段３４は、記憶手段１８に記憶された電力判定結果に応じて兼用コンセントＳＣから供給する電力制御を行うが、兼用コンセントＳＣ１１については、スレーブコンセントに切り替えられ、かつ電力判定結果が閾値以下になったことを示しているため、兼用コンセントＳＣ１１からの電力供給を禁止することによって、兼用コンセントＳＣ１１に接続されたＴＶへの電力を遮断する処理を行う。これにより、ＣＡＴＶ  Ｔｕｎｅｒの電源オフに連動して、兼用コンセントＳＣ１１に接続されたＴＶの電源が自動的にオフ（待機状態）になる。
【００４７】
一方、兼用コンセントＳＣ１２については、兼用コンセントＳＣがノーマルコンセントに切り替えられているため、電力判定結果に関わらず兼用コンセントＳＣ１２からの電力供給を許可することによって、兼用コンセントＳＣ１２に接続されたＤＶＤ  Ｐｌａｙｅｒに電力を供給する処理を行う。これにより、ＣＡＴＶ  Ｔｕｎｅｒの電源オフとは無関係に、兼用コンセントＳＣ１２に接続されたＤＶＤ  Ｐｌａｙｅｒには電源が供給される。すなわち、ＤＶＤ  Ｐｌａｙｅｒ本体の電源スイッチがオン状態であれば電源オンの状態が維持され、電源スイッチがオフ状態であれば電源オフの状態が維持される。
【００４８】
次に、第１拡張タップＥＴ１の受信手段４０は、第１マスタータップＭＴ１の送信手段２４から送信された電力判定結果（この例では、消費電力量が閾値以下になったことを示す情報）を受信する処理を行う。また、拡張タップ電力制御手段４４は、受信手段４０が受信した電力判定結果に応じて兼用コンセントＳＣから供給する電力制御を行うが、兼用コンセントＳＣ１３、ＳＣ１４については、スレーブコンセントに切り替えられ、かつ電力判定結果が閾値を超えていることを示しているため、兼用コンセントＳＣ１３、ＳＣ１４からの電力供給を禁止することによって、兼用コンセントＳＣ１３に接続されたＴＶ  Ｇａｍｅ２と兼用コンセントＳＣ１４に接続されたＴＶ  Ｇａｍｅ１への電力を遮断する処理を行う。これにより、ＣＡＴＶ  Ｔｕｎｅｒの電源オフに連動して、兼用コンセントＳＣ１３に接続されたＴＶ  Ｇａｍｅ２と、兼用コンセントＳＣ１４に接続されたＴＶ  Ｇａｍｅ１の電源がオフになる。
【００４９】
＜第２タップシステムＴＳ２＞
図４に示すように、この例では、第２マスタータップＭＴ２においては、マスターコンセントＭＣ２に、ＰＣ（パーソナルコンピュータ）の電源ケーブルを接続し、ノーマルコンセントに切り替えられた兼用コンセントＳＣ２１に、ＲＯＵＴＥＲ（ルータ）の電源ケーブルを接続している。また、第２拡張タップＥＴ２においては、スレーブコンセントに切り替えられた兼用コンセントＳＣ２２に、ＨＤＤ（ハードディスク）の電源ケーブルを接続している。
【００５０】
この例では、第２マスタータップＭＴ２のマスター電力量測定手段２０が、マスターコンセントＭＣ２に接続されたＰＣの消費電力量を測定し、マスター電力量判定手段２２が、マスター電力量測定手段２０によって測定された消費電力量が予め定めた閾値を超えたか否かを判定する。ここで、ＰＣの消費電力量は、電源オフの場合に３Ｗ（待機電力）、電源オンの場合に２５Ｗであり、マスター電力量判定手段２２の判定基準である消費電力量の閾値が８Ｗに設定されている場合を考える。
【００５１】
＜ＰＣの電源オン＞
ＰＣの電源がオフからオンに切り替えられると、ＰＣの消費電力量が３Ｗから２５Ｗに変化するため、マスター電力量判定手段２２は、マスター電力量測定手段２０によって測定されたＰＣの消費電力量が予め定めた閾値（この例では、８ｗ）を超えたと判定し、閾値を超えたことを示す情報（例えば、数値の１）を電力判定結果として記憶手段１８に記憶する処理を行う。また、送信手段２４は、記憶手段１８に記憶された電力判定結果（この例では、消費電力量が閾値を超えたことを示す情報）を第２拡張タップＥＴ２に向けて送信する処理を行う。
【００５２】
なお、本実施形態では、第１マスタータップＭＴ１の送信手段２４から送信される情報は、第１拡張タップＥＴ１の受信手段４０によってのみ受信可能に構成しており、第２拡張タップＥＴ２の受信手段４０によっては受信できないように構成している。また、逆に、第２マスタータップＭＴ２の送信手段２４から送信される情報は、第２拡張タップＥＴ２の受信手段４０によってのみ受信可能に構成しており、第１拡張タップＥＴ１の受信手段４０によっては受信できないように構成している。すなわち、第１タップシステムＴＳ１と第２タップシステムＴＳ２は各々が独立したシステムとされている。
【００５３】
次に、マスタータップ電力制御手段３４は、記憶手段１８に記憶された電力判定結果に応じて兼用コンセントＳＣから供給する電力制御を行うが、兼用コンセントＳＣ２１については、兼用コンセントＳＣがノーマルコンセントに切り替えられているため、電力判定結果に関わらず兼用コンセントＳＣ２１からの電力供給を許可することによって、兼用コンセントＳＣ２１に接続されたＲＯＵＴＥＲに電力を供給する処理を行う。これにより、ＰＣの電源オンとは無関係に、兼用コンセントＳＣ２１に接続されたＲＯＵＴＥＲには電源が供給される。すなわち、ＲＯＵＴＥＲ本体のスイッチがオン状態であれば電源オンの状態が維持され、スイッチがオフ状態であれば電源オフの状態が維持される。
【００５４】
次に、第２拡張タップＥＴ２の受信手段４０は、第２マスタータップＭＴ２の送信手段２４から送信された電力判定結果（この例では、消費電力量が閾値を超えたことを示す情報）を受信する処理を行う。また、拡張タップ電力制御手段４４は、受信手段４０が受信した電力判定結果に応じて兼用コンセントＳＣから供給する電力制御を行うが、兼用コンセントＳＣ２２については、スレーブコンセントに切り替えられ、かつ電力判定結果が閾値を超えていることを示しているため、兼用コンセントＳＣ２２からの電力供給を許可することによって、兼用コンセントＳＣ２２に接続されたＨＤＤに電力を供給する処理を行う。これにより、ＰＣの電源オンに連動して、兼用コンセントＳＣ２２に接続されたＨＤＤに電力が供給され、ＨＤＤ本体の電源スイッチがオン状態であれば、ＨＤＤの電源が自動的にオンになる。
【００５５】
次に、送信手段２４は、マスター電力量測定手段２０によって算出されたＰＣの消費電力量を含む情報を第２拡張タップＥＴ２に向けて送信する処理を行う。一方、第２拡張タップＥＴ２のスレーブ電力量測定手段３０は、兼用コンセント（スレーブコンセント）ＳＣ２２に接続されたＨＤＤの消費電力量を算出する。また、第２拡張タップＥＴ２は、第２マスタータップＭＴ２から取得したＰＣの消費電力量、および、スレーブ電力量測定手段３０によって算出したＨＤＤの消費電力量を合算し、合計消費電力量と電気料金を算出する。
【００５６】
＜ＰＣの電源オフ＞
ＰＣの電源がオンからオフに切り替えられると、ＰＣの消費電力量が２５Ｗから３Ｗに変化するため、マスター電力量測定手段２０は、マスター電力量測定手段２０によって測定されたＰＣの消費電力量が予め定めた閾値（この例では、８ｗ）以下になったと判定し、閾値以下になったことを示す情報（例えば、数値の０）を電力判定結果として記憶手段１８に記憶する処理を行う。また、送信手段２４は、記憶手段１８に記憶された電力判定結果（この例では、消費電力量が閾値以下になったことを示す情報）を第２拡張タップＥＴ２に向けて送信する処理を行う。
【００５７】
次に、マスタータップ電力制御手段３４は、記憶手段１８に記憶された電力判定結果に応じて兼用コンセントＳＣから供給する電力制御を行うが、兼用コンセントＳＣ２１については、兼用コンセントＳＣがノーマルコンセントに切り替えられているため、電力判定結果に関わらず兼用コンセントＳＣ２１からの電力供給を許可することによって、兼用コンセントＳＣ２１に接続されたＲＯＵＴＥＲに電力を供給する処理を行う。これにより、ＰＣの電源オフとは無関係に、兼用コンセントＳＣ２１に接続されたＲＯＵＴＥＲには電源が供給される。すなわち、ＲＯＵＴＥＲ本体のスイッチがオン状態であれば電源オンの状態が維持され、スイッチがオフ状態であれば電源オフの状態が維持される。
【００５８】
次に、第２拡張タップＥＴ２の受信手段４０は、第２マスタータップＭＴ２の送信手段２４から送信された電力判定結果（この例では、消費電力量が閾値以下になったことを示す情報）を受信する処理を行う。また、拡張タップ電力制御手段４４は、受信手段４０が受信した電力判定結果に応じて兼用コンセントＳＣから供給する電力制御を行うが、兼用コンセントＳＣ２２については、スレーブコンセントに切り替えられ、かつ電力判定結果が閾値を超えていることを示しているため、兼用コンセントＳＣ２２からの電力供給を禁止することによって、兼用コンセントＳＣ２２に接続されたＨＤＤへの電力を遮断する処理を行う。これにより、ＰＣの電源オフに連動して、兼用コンセントＳＣ２２に接続されたＨＤＤの電源がオフになる。
【００５９】
以上説明したように、本実施形態に係る給電管理システム１０は、マスターコンセント（例えば、マスターコンセントＭＣ)を有するマスタータップ（例えば、マスタータップＭＴ）と、スレーブコンセントおよびノーマルコンセントのいずれか一方として機能する兼用コンセント（例えば、兼用コンセントＳＣ）を有する拡張タップ（例えば、拡張タップＥＴ）と、を備え、前記マスタータップと前記拡張タップは、相互に通信可能に構成され、前記マスタータップは、前記マスターコンセントに接続された機器の消費電力量を測定可能なマスター電力量測定手段（例えば、マスター電力量測定手段２０）と、前記マスター電力量測定手段によって測定された消費電力量が予め定めた閾値を超えたか否かを判定可能なマスター電力量判定手段（例えば、マスター電力量判定手段２２）と、前記マスター電力量判定手段による電力判定結果を前記拡張タップに向けて送信可能な送信手段（例えば、送信手段２０）と、を備え、前記拡張タップは、前記送信手段によって送信された電力判定結果を少なくとも受信可能な受信手段（例えば、受信手段４０）と、前記受信手段が受信した電力判定結果に応じて前記兼用コンセントから供給する電力制御を行う拡張タップ電力制御手段（例えば、拡張タップ電力制御手段４４）と、前記兼用コンセントを前記スレーブコンセントおよび前記ノーマルコンセントのいずれか一方に切り替え可能な切替手段（例えば、切替手段３２）と、を備え、前記拡張タップ電力制御手段は、前記兼用コンセントが前記スレーブコンセントに切り替えられ、かつ前記電力判定結果が前記閾値を超えていることを示している場合には、前記スレーブコンセントからの電力供給を許可する一方で、前記兼用コンセントが前記スレーブコンセントに切り替えられ、かつ前記電力判定結果が前記閾値を超えていないことを示している場合には、前記スレーブコンセントからの電力供給を禁止するように構成されるとともに、前記兼用コンセントが前記ノーマルコンセントに切り替えられている場合には、前記電力判定結果に関わらず前記ノーマルコンセントからの電力供給を許可するように構成されている、ことを特徴とする給電管理システムである。
【００６０】
本実施形態に係る給電管理システム１０によれば、異なる電源タップ（マスタータップと拡張タップ）に接続された機器間においても電源のオン／オフを連動させることができ、使用者の利便性を高めることができる。しかも、兼用コンセントをノーマルコンセントに切り替えることで、電源のオン／オフを連動させないことも可能で、使用者の多様なニーズに対応することができる。
【００６１】
また、前記マスタータップは、前記兼用コンセントと、前記電力判定結果に応じて前記兼用コンセントから供給する電力制御を行うマスタータップ電力制御手段（例えば、マスタータップ電力制御手段２０）と、前記切替手段と、を備え、前記マスタータップ電力制御手段は、前記マスタータップの兼用コンセントが前記スレーブコンセントに切り替えられ、かつ前記電力判定結果が前記閾値を超えていることを示している場合には、前記マスタータップの兼用コンセントからの電力供給を許可する一方で、前記マスタータップの兼用コンセントが前記スレーブコンセントに切り替えられ、かつ前記電力判定結果が前記閾値を超えていないことを示している場合には、前記マスタータップのスレーブコンセントからの電力供給を禁止するように構成されるとともに、前記マスタータップの兼用コンセントが前記ノーマルコンセントに切り替えられている場合には、前記電力判定結果に関わらず前記マスタータップの兼用コンセントからの電力供給を許可するように構成されていてもよい。
【００６２】
このような構成とすれば、マスタータップ内においても電源のオン／オフを連動させる機器と、そうでない機器を使い分けることができ、より一層、利便性を高めることができる。
【００６３】
また、前記マスタータップまたは前記拡張タップは、前記スレーブコンセントから供給する電力の消費電力量を計測可能なスレーブ電力量計測手段（例えば、スレーブ電力量計測手段３０）を備え、前記マスター電力量計測手段および前記スレーブ電力量計測手段によって計測した消費電力量に基づいて電気料金を算出可能に構成されていてもよい。
【００６４】
このような構成とすれば、電源のオン／オフの連動を行う機器全体の消費電力量や電気料金を把握することが可能となり、節電を促進することが可能である。
【００６５】
また、前記切替手段は、前記兼用コンセントをさらにオフ状態に切り替え可能に構成され、前記マスタータップ電力制御手段または前記拡張タップ電力制御手段は、前記兼用コンセントが前記オフ状態に切り替えられている場合には、前記電力判定結果に関わらず前記兼用コンセントからの電力供給を禁止するように構成されていてもよい。
【００６６】
このような構成とすれば、特定の機器については待機電力を無くすことができ、より一層、節電を促進することが可能となる。
【００６７】
また、前記マスタータップは、第一のマスタータップ（例えば、第１マスタータップＭＴ１）と第二のマスタータップ（例えば、第２マスタータップＭＴ２）を少なくとも含み、前記拡張タップは、第一の拡張タップ（例えば、第１拡張タップＥＴ１）と第二の拡張タップ（例えば、第２拡張タップＥＴ２）を少なくとも含み、前記第一の拡張タップの拡張タップ電力制御手段は、前記第一の拡張タップの兼用コンセントが前記スレーブコンセントに切り替えられ、かつ前記第一のマスタータップから受信した前記電力判定結果が前記閾値を超えていることを示している場合には、前記第一の拡張タップのスレーブコンセントからの電力供給を許可する一方で、前記第一の拡張タップの兼用コンセントが前記スレーブコンセントに切り替えられ、かつ前記第一のマスタータップから受信した前記電力判定結果が前記閾値を超えていないことを示している場合には、前記第一の拡張タップのスレーブコンセントからの電力供給を禁止するように構成され、前記第二の拡張タップの拡張タップ電力制御手段は、前記第二の拡張タップの兼用コンセントが前記スレーブコンセントに切り替えられ、かつ前記第二のマスタータップから受信した前記電力判定結果が前記閾値を超えていることを示している場合には、前記第二の拡張タップのスレーブコンセントからの電力供給を許可する一方で、前記第二の拡張タップの兼用コンセントが前記スレーブコンセントに切り替えられ、かつ前記第二のマスタータップから受信した前記電力判定結果が前記閾値を超えていないことを示している場合には、前記第二の拡張タップのスレーブコンセントからの電力供給を禁止するように構成されていてもよい。
【００６８】
このような構成とすれば、複数のシステム毎に個別に電源のオン／オフを連動させることができ、使用者の利便性をさらに高めることができる。
【００６９】
また、前記第一のマスタータップまたは前記第一の拡張タップは、前記マスター電力量計測手段および前記スレーブ電力量計測手段によって計測した消費電力量に基づいて、前記第一のマスタータップまたは前記第一の拡張タップの電気料金を算出可能に構成され、前記第二のマスタータップまたは前記第二の拡張タップは、前記マスター電力量計測手段および前記スレーブ電力量計測手段によって計測した消費電力量に基づいて、前記第二のマスタータップまたは前記第二の拡張タップの電気料金を算出可能に構成されていてもよい。
【００７０】
このような構成とすれば、複数のシステム毎に電源のオン／オフの連動を行う機器全体の消費電力量や電気料金を把握することが可能となり、節電を促進することが可能である。
【００７１】
なお、本発明に係る給電管理システムの構成は、上述の実施形態に係る給電管理システム１０の構成に限定されるものではなく、本発明の要旨を逸脱しない範囲内において種々変更を加え得ることは勿論である。したがって、例えば、マスター電力量判定手段２２の判定基準である消費電力量の閾値を無線通信を介して外部から任意に設定可能に構成してもよいし、切替手段３２によるスレーブコンセント、ノーマルコンセント、オフ状態の切り替えを無線通信を介して外部から任意に設定可能に構成してもよい。このような構成とすれば、閾値や兼用コンセントの機能を外部から制御することが可能となり、利便性をさらに高めることができる。
【産業上の利用可能性】
【００７２】
本発明に係る給電管理システムは、複数の機器を接続するための電源タップなどに適用することができる。
【符号の説明】
【００７３】
ＴＳ１  第１タップシステム
ＴＳ２  第２タップシステム
ＭＣ  マスターコンセント
ＳＣ  スレーブコンセント
ＭＴ  マスタータップ
ＭＴ１  第１マスタータップ
ＭＴ２  第２マスタータップ
ＥＴ  拡張タップ
ＥＴ１  第１拡張タップ
ＥＴ２  第２拡張タップ
１０  給電管理システム
１８  記憶手段
２０  マスター電力量測定手段
２２  マスター電力量判定手段
２４  送信手段
３０  スレーブ電力量測定手段
３２  切替手段
３４  マスタータップ電力制御手段
４０  受信手段
４４  拡張タップ電力制御手段
【図１】
2014023293.tif 000003
【図２】
2014023293.tif 000004
【図３】
2014023293.tif 000005
【図４】
2014023293.tif 000006